(57)【特許請求の範囲】
【請求項１】
撮像部を備えたケース部材と、
前記撮像部が撮像する方向に直交する軸を第１の回転軸とし、前記ケース部材の外周を覆う枠状部材と、
前記撮像部に対し、近接撮影モードまたは通常撮影モードのいずれかを設定する設定手段と、
前記枠状部材が前記第１の回転軸で回転することにより前記撮像部が撮像する方向側に位置したか否かを判断する第１の判断手段と、
この第１の判断手段により肯定と判断されると、当該装置が前記ケース部材の端部と前記枠状部材の端部とを接地させ、前記撮像部の撮像方向に撮影対象を収め且つ前記枠状部材が有する空間を通じて当該撮影対象に外光を照らす所定の空間を設ける形状になったことによる、近接撮影モードを設定するよう前記設定手段を制御する制御手段と
を備えることを特徴とする撮像装置。
【請求項２】
前記ケース部材は、
前記撮像部を有する第１のケース部と、
この第１のケース部に対し、前記撮像部が撮像する方向と前記第１の回転軸とに直交する軸を第２の回転軸として回動可能に接続された表示部を有する第２のケース部と
からなり、
前記第２の回転軸での回動を検出することにより、前記撮像部が撮像する方向と前記表示部が表示する方向とが相対するか否かを判断する第２の判断手段と、
前記第１の判断手段、及び前記第２の判断手段により肯定と判断されると、前記近接モードにて撮像されている画像を、前記表示部に表示するように制御する表示制御手段と
を更に備えることを特徴とする請求項１に記載の撮像装置。
【請求項３】
前記枠状部材は、
一部が欠けた形状を有し、この欠けた部分に前記撮像部が嵌合されるように前記ケース部材が配置され、
前記第１の回転軸は、前記撮像部の撮像方向に直交し、前記撮像部を貫通するように形成されていることを特徴とする請求項１または２に記載の撮像装置。
【請求項４】
前記制御手段により近接撮影モードに設定されると、前記撮像部での撮影時に点灯する照明手段を更に備えることを特徴とする請求項１ないし３のいずれかに記載の撮像装置。
【発明の詳細な説明】
【技術分野】
【０００１】
本発明は、マクロ撮影機能を有する撮像装置に関する。
【背景技術】
【０００２】
従来より、回動機構を備えた撮像装置は、特にカメラ付携帯電話等の製品分野で広く知られている。例えば、特許文献１には、表示部と撮像部とを備えた第１の筐体とテンキーを有する第２の筐体とを回動可能に接続した折り畳み構造を有し、この回動軸で９０度の角度に曲がると、マクロ撮影モードに切り替わる技術が開示されている。
【先行技術文献】
【特許文献】
【０００３】
【特許文献１】特開２００５−３００６７１号公報
【発明の概要】
【発明が解決しようとする課題】
【０００４】
しかしながら、従来技術では、マクロ撮影モードで撮影する場合、手で支えることで、その姿勢を固定しなければならず、手ぶれや、ピンボケなど撮影が失敗する場合が多いという問題があった。
【０００５】
そこで本発明は、安定した姿勢で確実にマクロ撮影を行うことができる撮像装置を提供することを目的とする。
【課題を解決するための手段】
【０００６】
上記目的達成のため、請求項１記載の発明は、撮像部を備えたケース部材と、前記撮像部が撮像する方向に直交する軸を第１の回転軸とし、前記ケース部材の外周を覆う枠状部材と、前記撮像部に対し、近接撮影モードまたは通常撮影モードのいずれかを設定する設定手段と、前記枠状部材が前記第１の回転軸で回転することにより前記撮像部が撮像する方向側に位置したか否かを判断する第１の判断手段と、この第１の判断手段により肯定と判断されると、当該装置が前記ケース部材の端部と前記枠状部材の端部とを接地させ、前記撮像部の撮像方向に撮影対象を収め且つ前記枠状部材が有する空間を通じて当該撮影対象に外光を照らす所定の空間を設ける形状になったことによる、近接撮影モードを設定するよう前記設定手段を制御する制御手段とを備えることを特徴とする撮像装置である。
【０００７】
また、請求項２記載の発明は、請求項１において、前記ケース部材は、前記撮像部を有する第１のケース部と、この第１のケース部に対し、前記撮像部が撮像する方向と前記第１の回転軸とに直交する軸を第２の回転軸として回動可能に接続された表示部を有する第２のケース部とからなり、前記第２の回転軸での回動を検出することにより、前記撮像部が撮像する方向と前記表示部が表示する方向とが相対するか否かを判断する第２の判断手段と、前記第１の判断手段、及び前記第２の判断手段により肯定と判断されると、前記近接モードにて撮像されている画像を、前記表示部に表示するように制御する表示制御手段とを更に備えることを特徴とする。
【０００８】
また、請求項３記載の発明は、請求項１または２において、前記枠状部材は、一部が欠けた形状を有し、この欠けた部分に前記撮像部が嵌合されるように前記ケース部材が配置され、前記第１の回転軸は、前記撮像部の撮像方向に直交し、前記撮像部を貫通するように形成されていることを特徴とする。
【０００９】
また、請求項４記載の発明は、請求項１ないし３のいずれかにおいて、前記制御手段により近接撮影モードに設定されると、前記撮像部での撮影時に点灯する照明手段を更に備えることを特徴とする。
【発明の効果】
【００１０】
この発明によれば、安定した姿勢で確実にマクロ撮影を行うことができるという利点が得られる。
【図面の簡単な説明】
【００１１】
【図１】本発明の第１実施形態によるデジタルカメラの構成を示すブロック図である。
【図２】本実施形態によるデジタルカメラの構造を示す斜視図である。
【図３】本実施形態によるデジタルカメラにおいて、グリップの回転構造を説明するための側面図である。
【図４】本実施形態によるデジタルカメラ１でのマクロ撮影時の状態を示す側面図である。
【発明を実施するための形態】
【００１２】
以下、本発明の実施の形態を、図面を参照して説明する。
【００１３】
Ａ．第１実施形態
図１は、本発明の第１実施形態によるデジタルカメラの構成を示すブロック図である。図において、デジタルカメラ１は、撮像レンズ２、レンズ駆動部３、絞り兼用シャッタ４、ＣＣＤ５、ＴＧ（Timing
Generator）６、ユニット回路７、画像処理部８、ＣＰＵ１１、ＤＲＡＭ１２、メモリ１３、フラッシュメモリ１４、表示部１５、キー入力部１６、カードＩ／Ｆ１７、メモリ・カード１８、及び角度検出部１９を備えている。
【００１４】
撮像レンズ２は、フォーカスレンズ、ズームレンズなどを含み、レンズ駆動部３が接続されている。レンズ駆動部３は、撮像レンズ２を構成するフォーカスレンズ、ズームレンズをそれぞれ光軸方向に駆動させるモータと、ＣＰＵ１１からの制御信号に従ってフォーカスモータ、ズームモータを駆動させるフォーカスモータドライバ、ズームモータドライバから構成されている。
【００１５】
絞り兼用シャッタ４は、図示しない駆動回路を含み、駆動回路によってＣＰＵ１１から送られてくる制御信号に従って動作する。該絞り兼用シャッタ４は、撮像レンズ２から入ってくる光の量を制御する。ＣＣＤ（撮像素子）５は、撮像レンズ２、絞り兼用シャッタ４を介して投影された被写体の光を電気信号に変換し、撮像信号としてユニット回路７に出力する。該ＣＣＤ５は、ＴＧ６によって生成された所定周波数のタイミング信号に従って駆動される。
【００１６】
なお、少なくとも、上記撮像レンズ２、レンズ駆動部３、絞り兼用シャッタ４、ＣＣＤ５は、カメラ部１０として１つの構造体に集約されている。
【００１７】
ユニット回路７は、ＣＣＤ５から出力される撮像信号を相関二重サンプリングして保持するＣＤＳ（Correlated
Double Sampling）回路、そのサンプリング後の撮像信号の自動利得調整を行うＡＧＣ（Automatic
Gain Control）回路、その自動利得調整後のアナログの撮像信号をデジタル信号に変換するＡ／Ｄ変換器から構成されている。該ユニット回路７は、ＴＧ６によって生成された所定周波数のタイミング信号に従って駆動される。ＣＣＤ５の撮像信号は、ユニット回路７を経てデジタル信号として画像処理部８に送られる。
【００１８】
画像処理部８は、ユニット回路７から送られてきた画像データの画像処理（画素補間処理、γ補正、輝度色差信号の生成、ホワイトバランス処理、露出補正処理等）、画像データの圧縮・伸張（例えば、ＪＰＥＧ形式やＭ−ＪＰＥＧ形式又はＭＰＥＧ形式の圧縮・伸張）の処理、複数の撮像画像を合成する処理などを行う。該画像処理部８は、ＴＧ６によって生成された所定周波数のタイミング信号に従って駆動される。ＬＥＤ９は、マクロ撮影時などに光量不足を補うための照明として点灯される。
【００１９】
ＣＰＵ１１は、デジタルカメラ１の各部を制御するワンチップマイコンである。特に、本実施形態では、ＣＰＵ１１は、後述する筐体の一部であるグリップと、表示部１５、キー入力部１６などが配置された表示ブロックとのが所定の角度になると、自動的にマクロ撮影モード（近接撮影モード）となるように撮影条件を設定し、各部の動作を制御する。なお、グリップや、表示ブロック、マクロ撮影の詳細については後述する。また、ＣＰＵ１１は、カメラ部１０の撮像方向と表示ブロックの表示部１５との方向が相対している場合に、マクロ撮影モード（近接撮影モード）で撮像されている画像を、表示部１５に表示するように制御する。
【００２０】
ＤＲＡＭ１２は、ＣＣＤ５によって撮像された後、ＣＰＵ１１に送られてきた画像データを一時記憶するバッファメモリとして使用されるとともに、ＣＰＵ１１のワーキングメモリとして使用される。メモリ１３は、ＣＰＵ１１によるデジタルカメラ１の各部の制御に必要なプログラム、及び各部の制御に必要なデータが記録されており、ＣＰＵ１１は、このプログラムに従って処理を行う。フラッシュメモリ１４や、メモリ・カード１８は、ＣＣＤ５によって撮像された画像データなどを保存しておく記録媒体である。
【００２１】
表示部１５は、カラーＬＣＤとその駆動回路を含み、撮像待機状態にあるときには、ＣＣＤ５によって撮像された被写体をスルー画像として表示し、記録画像の再生時には、フラッシュメモリ１４や、メモリ・カード１８から読み出され、伸張された記録画像を表示する。キー入力部１６は、シャッタスイッチ、ズームスイッチ、モードキー、ＳＥＴキー、十字キー等の複数の操作キーを含み、ユーザのキー操作に応じた操作信号をＣＰＵ１１に出力する。カードＩ／Ｆ１７には、デジタルカメラ１本体の図示しないカードスロットを介してメモリ・カード１８が着脱自在に装着されている。
【００２２】
角度検出部１９は、機械的、光学的、あるいは電磁気的なセンサからなり、回転機構を有するグリップの角度（第１の回転軸の角度）、及び後述するレンズブロックと後述する表示ブロックとの角度（第２の回転軸の角度）を検出する。なお、本デジタルカメラの構造、及び上記角度検出部１９による第１の回転軸の角度、第２の回転軸の角度の検出の詳細については後述する。
【００２３】
図２は、本実施形態によるデジタルカメラの構造を示す斜視図である。デジタルカメラ１は、グリップ２０、レンズブロック２１、表示ブロック２２で構成されている。グリップ２０、及び表示ブロック２２は、レンズブロック２１に対し、各々、直交する回転軸を有する。グリップ２０、レンズブロック２１、及び表示ブロック２２が、それぞれの回転軸で回転させることで、様々な撮影形態に変形させることが可能となっている。
【００２４】
図３は、本実施形態によるデジタルカメラにおいて、グリップの回転構造を説明するための側面図である。グリップ２０の（表示ブロック２２に対する）角度が０度のとき、グリップ２０、レンズブロック２１、及び表示ブロック２２は、ほぼ平らな状態となる。グリップ２０を表示ブロック２２に対して撮影者側、あるいは表示部１５側に、４５度、９０度、そして、１８０度に回動させることが可能である。
【００２５】
図４（ａ）〜（ｃ）は、本実施形態によるデジタルカメラ１でのマクロ撮影時の状態を示す側面図である。本実施形態では、上述した図３に示す状態から、さらに、グリップ２０を表示ブロック２２に対して１８０度以上回動させることが可能となっている。図４（ａ）に示すように、ユーザがグリップ２０を１８０度以上の所定の角度まで回動させると、角度検出部１９により、この角度（第１の回転軸の角度）が検出され、ＣＰＵ１１が撮影モードをマクロ撮影モードに自動的に切り替える。ユーザは、同図（ｂ）に示すように、グリップ２０と表示ブロック２２とを用いて、デジタルカメラ１を安定させた状態で机などに固定させる。なお、グリップ２０の回転機能には、ノッチ機構が設けられており、所定の角度（複数）で半固定（所定の力を加えると回動する）されるようになっている。
【００２６】
同図（ｂ）に示す状態では、表示部１５は、撮影者側（図面上側）に向いており、レンズブロック２１（カメラ部１０）は、机２５側（図面下側）に向いている。なお、カメラ部１０とは、少なくも、撮像レンズ２、レンズ駆動部３、絞り兼用シャッタ４、ＣＣＤ５などを含む（図１参照）。レンズブロック２１と机２５との間には、表示ブロック２２、グリップ２０、机２５により、適当な空間が形成されることになる。
【００２７】
そして、同図（ｃ）に示すように、この空間に置かれた被写体３０を撮影する。このとき、撮影モードは、自動的にマクロ撮影モードに切り替えられており、近接撮影に最適な条件に設定されているので、ユーザは、特別な設定操作を行うことなく、最適な撮影を行うことができる。
【００２８】
また、このとき、角度検出部１９により、レンズブロック２１と表示ブロック２２との角度（第２の回転軸の角度）が検出されており、カメラ部１０の撮像方向と表示部１５の表示方向とが相対していると判断されると、撮像されている画像が表示部１５に表示される。
【００２９】
なお、デジタルカメラ１のグリップ２０は、枠部材のみで構成されているため、同図（ｃ）に示す状態では、矢印方向から外光を採り込み易く、比較的、容易に撮影に十分な光量を得ることができる。但し、撮影状況によっては露出不足となる可能性もあるので、ユーザ操作、あるいは自動的にレンズブロック２１に配置されているＬＥＤ２１ａ（図４（ａ）を参照）を点灯させるようにしてもよい。
【００３０】
このように、本撮影状態にて被写体を跨ぐようにデジタルカメラを接地面にセットし、デジタルカメラの焦点を被写体に向かせながら撮影することでブレのない撮影が可能となる。
【００３１】
上述した実施形態によれば、被写体と安定した距離で固定することができるので、ブレなく撮影することができる。また、グリップの角度でマクロ撮影モード（あるいは、特定撮影モード）に自動的に切り替えることができる。
【００３２】
なお、グリップタイプでなく、二つ折りタイプの携帯電話のようなテンキータイプでもあってもよい。この場合、表示部が設けられた筐体と、テンキーが設けられた筐体とが所定の角度（くの字）になると、マクロ撮影モードに設定すればよい。
【符号の説明】
【００３３】
１  デジタルカメラ
２  撮像レンズ
３  レンズ駆動部
４  絞り兼用シャッタ
５  ＣＣＤ
６  ＴＧ
７  ユニット回路
８  画像処理部
９  ＬＥＤ
１０  カメラ部
１１  ＣＰＵ
１２  ＤＲＡＭ
１３  メモリ
１４  フラッシュメモリ
１５  画像表示部
１６  キー入力部
１７  カードＩ／Ｆ
１８  メモリ・カード
１９  角度検出部
【図１】
0005126701.tif 000002
【図２】
0005126701.tif 000003
【図３】
0005126701.tif 000004
【図４】
0005126701.tif 000005